【手続補正書】
【提出日】平成15年12月3日(2003.12.3)
【手続補正１】
【補正対象書類名】明細書
【補正対象項目名】特許請求の範囲
【補正方法】変更
【補正の内容】
【特許請求の範囲】
【請求項１】
アングルの異なる画像情報が複数のインターリーブドユニット（ILVU：Interleaved Unit）に分割されインターリーブされたビデオオブジェクトユニット（VOBU：Video Object Unit） を含む複数のＶＯＢＵからなるセル構造の画像情報がプレゼンテーションのエッセンス及び順序を述べたＰＧＣ情報（PGCI：PGC Information）に基づいて整数個のプログラム（PG：Program）により構成されるプログラムチェーン（PGC：Program Chain）として記録された記録媒体から、ＰＣＩに基づいてＰＧＣを再生するデータ再生装置であって、最初にアングル切り換え操作入力を受け付けてからシームレスアングル切り換えを実行するまでの間に、アングル切り換え操作入力を複数回受け付けた場合に、最後のアングル切り換え操作入力によるアングル番号を有効として、シームレスアングル切り換えを実行する制御を行う制御手段を備えることを特徴とするデータ再生装置。
【請求項２】
アングルの異なる画像情報が複数のインターリーブドユニット（ILVU：Interleaved Unit）に分割されインターリーブされたビデオオブジェクトユニット（VOBU：Video Object Unit） を含む複数のＶＯＢＵからなるセル構造の画像情報がプレゼンテーションのエッセンス及び順序を述べたＰＧＣ情報（PGCI：PGC Information）に基づいて整数個のプログラム（PG：Program）により構成されるプログラムチェーン（PGC：Program Chain）として記録された記録媒体から、ＰＣＩに基づいてＰＧＣを再生するデータ再生方法であって、最初にアングル切り換え操作入力を受け付けてからシームレスアングル切り換えを実行するまでの間に、アングル切り換え操作入力を複数回受け付けた場合に、最後のアングル切り換え操作入力によるアングル番号を有効として、シームレスアングル切り換えを実行することを特徴とするデータ再生方法。
【手続補正２】
【補正対象書類名】明細書
【補正対象項目名】０００７
【補正方法】変更
【補正の内容】
【０００７】
ここで、ビデオオブジェクトセット（VOBS：Video Object Set）は、図３に示すように、１個以上のビデオオブジェクト（VOB：Video Object）で構成される。ＶＯＢ  ＩＤ番号（VOB_IDN：VOB ID number）は、ＶＯＢＳ内の最も小さな論理セクタ番号（LSN：Logical Sector number）のＶＯＢからアサインされる。ＶＯＢは、１個以上のセル（Cell）からなる。セルＩＤ番号（C_IDN：Cell ID number ）は、ＶＯＢ内の最も小さな論理セクタ番号（LSN：Logical Sector number）のセルからアサインされる。また、セル（Cell）は、整数個のビデオオブジェクトユニット（VOBU：Video Object Unit ）により構成される。ＶＯＢＵは、整数個のオーディオパック（A_PCK：Audio Pack ），ビデオパック（V_PCK：Video Pack），サブピクチャパック（SP_PCK：Sub-picture Pack）及びその先頭に配置されたナビゲーションパック（NV_PCK：Navigation Pack）からなる。


【手続補正３】
【補正対象書類名】明細書
【補正対象項目名】０００８
【補正方法】変更
【補正の内容】
【０００８】
ＶＯＢＳにおけるＶＯＢには、コンティギュアスブロック（CTGB：Contiguous Block）とインターリーブドブロック（ILVB：Interleaved Block） がある。ＣＴＧＢは、図４に示すように互いに隣接して位置される１個単位のＶＯＢである。また、ＩＬＶＢは、図５に示すように、インターリーブされた複数個のＶＯＢからなる。ＩＬＶＢにおける各ＶＯＢは、それぞれ複数のインターリーブドユニット（ILVU：Interleaved Unit）に分割されている。


【手続補正４】
【補正対象書類名】明細書
【補正対象項目名】０００９
【補正方法】変更
【補正の内容】
【０００９】
さらに、上記ＮＶ＿ＰＣＫは、図６に示すように、パックヘッダ、システムヘッダ、ＰＣＩパケット（PCI_PKT：Presentation Control Information packet）及びＤＳＩパケット（DSI_PKT：Data Search Information packet）からなる。上記ＰＣＩパケットとして与えられるプレゼンテーション制御情報（PCI：Presentation Control Information） は、ＶＯＢＵのプレゼンテーションを制御するためのナビゲーションデータである。このＰＣＩは、図７に示すように、ＰＣＩ全体情報（PCI_GI：PCI General Information packet）、ノンシームレスアングル情報（NSML_AGLI：Angle Information for non-seamless） 、ハイライト情報（HLI:Highlight Information）及びレコーディング情報（RECI:Recording Information） の４種類からなる。ＰＣＩ＿ＧＩは、図８に示すように、ナビパックの論理ブロック番号（NV_PCK_LBN：Logical Block number of Navigation Pack）、ＶＯＢＵのカテゴリー（VOBU_CAT：Category of VOBU） 、ＶＯＢＵのユーザ操作制御（VOBU_UOP_CTL：User Operation control of VOBU） 、ＶＯＢＵのプレゼンテーション開始時間（VOBU_S_PTM：Start Presentation Time of VOBU）、ＶＯＢＵのプレゼンテーション終了時間（ＶＯＢＵ＿Ｅ＿ＰＴＭ（End PTM of VOBU）、ＶＯＢＵにおけるシーケンスのプレゼンテーション終了時間（VOBU_SE_E_PTM：End PTM of sequence in VOBU）やセル経過時間（C_ELTM：Cell Elapse Time） などの情報である。また、ＮＳＭＬ＿ＡＧＬＩは、図９に示すようなアングル切り換えにおける切り換え先の情報であり、ノンシームレスでのアングルセル切り換えにのみ有効とされる。


【手続補正５】
【補正対象書類名】明細書
【補正対象項目名】００１２
【補正方法】変更
【補正の内容】
【００１２】
さらに、上記ＳＭＬ＿ＡＧＬＩは、図１４に示すようなアングル切り換えにおける切り換え先の情報であり、シームレスでのアングルセル切り換えにのみ有効とされる。


【手続補正６】
【補正対象書類名】明細書
【補正対象項目名】００１３
【補正方法】変更
【補正の内容】
【００１３】
そして、ＤＶＤ−ＶＩＤＥＯディスクでは、図１５に示すようなプログラムチェーン（PGC：Program Chain）構造が採用されており、プレゼンテーションのエッセンス及び順序を述べたＰＧＣ情報（PGCI：PGC Information ）に基づいて、整数個のプログラム（PG：Program）により構成されるプログラムチェーン（PGC：Program Chain ）としてデータが記録されている。ＰＧＣは、メニュー又はタイトル又はその一部を提供する論理ユニットであり、ＰＧＣＩに基づいて構成される。１つのＰＧＣは、整数個のＰＧに分割されている。ＰＧは、ＰＧＣの内容を分割した単位であり、１つのＰＧは、整数個のセル（Cell）からなる。ＤＶＤ−ＶＩＤＥＯディスクの再生装置では、ＰＧＣＩを再生して、ＰＧＣＩに基づいてＰＧＣを再生する。ＰＧは、ＰＧＣＩにおいて定義されるセル（Cell）の集まりである。ＰＧＣＩは、プレ・コマンドエリア及びポスト・コマンドエリアとプレゼンテーション・コントロールブロックからなり、プレゼンテーション・コントロールブロックによりセルの再生順序とＶＯＢのプレゼンテーションを制御するためのナビゲーションデータを与えるようになっている。


【手続補正７】
【補正対象書類名】明細書
【補正対象項目名】００１４
【補正方法】変更
【補正の内容】
【００１４】
上記ＰＧＣＩは、図１６に示すように、ＰＧＣ全体情報（PGC_GI：Program Chain General Information）、ＰＧＣコマンドテーブル（PGC_CMDT：Program Chain Command Table）、ＰＧＣプログラムマップ（PGC_PGMAP：Program Chain Program Map）、セル再生情報テーブル（C_PBIT：Cell Playback Information Table ）、セル位置情報テーブル（C_POSIT：Cell Position Information Table）を構成する。


【手続補正８】
【補正対象書類名】明細書
【補正対象項目名】００１６
【補正方法】変更
【補正の内容】
【００１６】
また、上記Ｃ＿ＰＢＩＴは、ＰＧＣにおけるセル（Cell）のプレゼンテーションの順序を定義するテーブルであって、図１８に示すように、セル再生情報（C_PBI：Cell Playback Information）が連続的に記述されている。そして、このＣ＿ＰＢＩは、図１９に示すように、セルカテゴリー（C_CAT：Cell Category）、セル再生時間（C_PBTM：Cell Playback Time）、セル（Cell）の先頭ＶＯＢＵの開始アドレス（C_FVOBU_SA：Start address of the First VOBU in Cell）、セル（Cell）の先頭ＶＯＢＵの終了アドレス（C_FVOBU_EA：End address of the First VOBU in Cell：）、セル（Cell）の最終ＶＯＢＵの開始アドレス（C_LVOBU_SA：Start address of the Last VOBU in Cell） 、セル（Cell）の最終ＶＯＢＵの終了アドレス（C_LVOBU_SA：End address of the Last VOBU in Cell：）からなる。


【手続補正９】
【補正対象書類名】明細書
【補正対象項目名】００４１
【補正方法】変更
【補正の内容】
【００４１】
Ａ／Ｄ変換回路１０は、デジタルデータである音声データをアナログの音声データに変換して出力する。この出力をスピーカ等に供給することにより、ユーザーが記録媒体１から再生した音声を聴取することができる。


【手続補正１０】
【補正対象書類名】明細書
【補正対象項目名】００４７
【補正方法】変更
【補正の内容】
【００４７】
すなわち、上記コントローラ１１は、例えば図２２のフローチャートに示すように、ポーズ中にアングル切り換えコマンドが発生すると（ステップＳ１）、先ず、現在の表示画のビデオオブジェクトユニット（VOBU：Video Object Unit） のセル経過時間（C_ELTM：Cell Elapse Time）をメモリ１３に記憶し（ステップＳ２）、現在のアングル番号を示す変数ＡＮを目的のアングル番号（AGLN：Angle number）とする（ステップＳ３）。次に、このＡＮに従って現在のセル番号（CN：Cell Number） を決定して（ステップＳ４）、セル再生情報テーブル（C_PBIT：Cell Playback Information Table）より上記ＣＮの先頭のＶＯＢＵの開始アドレス（VOBU_SA：VOBU start address） を取得する（ステップＳ５）。そして、このＶＯＢＵ＿ＳＡと記憶したＣ＿ＥＬＴＭを基に、セル内のタイムコード（TC：Time Code） サーチを行ってから（ステップＳ６）、目的のアングル番号の静止画を出力する（ステップＳ７）。


【手続補正１１】
【補正対象書類名】明細書
【補正対象項目名】００４８
【補正方法】変更
【補正の内容】
【００４８】
上記ステップＳ６のセル内のＴＣサーチは、図２３のフローチャートに従って行う。すなわち、セル内のＴＣサーチでは，先ず、ＶＯＢＵ＿ＳＡのナビゲーションパック（NV_PCK：Navigation Pack ）を取得する（ステップＳ１１）。次に、目的のＣ＿ＥＬＴＭと現在のＣ＿ＥＬＴＭとの差分を求め（ステップＳ１２）、差分に最も近いＶＯＢＵ＿ＳＡをＮＶ＿ＰＣＫのＶＯＢＵサーチ情報（VOBU_SRI：VOB Unit Search Information） より取得する（ステップＳ１３）。さらに、取得したＶＯＢＵ＿ＳＡが現在のＶＯＢＵ＿ＳＡか否かを判定し（ステップＳ１４）、その判定結果が「ＮＯ」であれば、取得したＶＯＢＵ＿ＳＡを現在のＶＯＢＵ＿ＳＡにして（ステップＳ１５）、上記ステップＳ１１に戻って、各ステップＳ１１〜Ｓ１４の処理を繰り返し行う。そして、上記ステップＳ１４における判定結果が「ＹＥＳ」であれば、このセル内のＴＣサーチ処理を終了して、上述のステップＳ７に移って目的のアングル番号の静止画を出力する。


【手続補正１２】
【補正対象書類名】明細書
【補正対象項目名】００５０
【補正方法】変更
【補正の内容】
【００５０】
また、上記コントローラ１１は、例えば図２４のフローチャートに示すように、Ａ点記憶のイベントが発生すると（ステップＳ２１）、Ａ点のセル番号（CN：Cell Number）、アングル番号（AGLN：Angle number） 及びＣ＿ＥＬＴＭを記憶する（ステップＳ２２）。そして、Ｂ点が決定されると（ステップＳ２３）、図２５の（Ａ）に示すようにＡ点（Ａ１・Ｃ＿ＥＬＴＭ）とＢ点（Ｂ１・Ｃ＿ＥＬＴＭ）との間を繰り返し再生するＡ−Ｂリピートの動作状態になる（ステップＳ２４）。


【手続補正１３】
【補正対象書類名】明細書
【補正対象項目名】００５３
【補正方法】変更
【補正の内容】
【００５３】
上記ステップＳ３３におけるＡ点（Ａ２・Ｃ＿ＥＬＴＭ）サーチは、図２７のフローチャートに従って行う。すなわち、Ａ点（Ａ２・Ｃ＿ＥＬＴＭ）サーチでは、先ず、上述のステップＳ２２で記憶したＣＮから現在のＡＮ（アングル番号２）を持つＡ点があるであろうＣＮを決定する（ステップＳ４１）。そして、セル再生情報テーブル（C_PBIT：Cell Playback Information Table）より上記ＣＮの先頭のＶＯＢＵの開始アドレス（VOBU_SA：VOBU start address） を取得して（ステップＳ４２）、このＶＯＢＵ＿ＳＡと記憶したＡ点のＣ＿ＥＬＴＭを基に、セル内のタイムコード（TC：Time Code） サーチを行う（ステップＳ４３）。このステップＳ４３におけるセル内のＴＣサーチは、上述の図２３のフローチャートに従って行う。


【手続補正１４】
【補正対象書類名】明細書
【補正対象項目名】００７０
【補正方法】変更
【補正の内容】
【００７０】
このように、この光ディスク再生装置１００では、コントローラ１１による制御によって、変速再生や逆方向再生等の特殊再生モードにおいてシームレスアングル切り換えを精度良く行うことができる。


【手続補正１５】
【補正対象書類名】明細書
【補正対象項目名】図面の簡単な説明
【補正方法】変更
【補正の内容】
【図面の簡単な説明】
【図１】ＤＶＤ−ＶＩＤＥＯディスクにおけるボリューム構造を示す図である。
【図２】上記ボリューム構造におけるＶＭＧとＶＴＳの構造を示す図である。
【図３】ＶＯＢＳの構成を示す図である。
【図４】コンティギュアスブロックＣＴＧＢを示す図である。
【図５】インターリーブドユニットＩＬＶＵを示す図である。
【図６】ナビゲーションパックＮＶ＿ＰＣＫの構成を示す図である。
【図７】プレゼンテーション制御情報ＰＣＩの構成を示す図である。
【図８】ＰＣＩ全体情報ＰＣＩ＿ＧＩの構成を示す図である。
【図９】ＮＳＭＬ＿ＡＧＬＩによるアングル切り換えの状態を示す図である。
【図１０】データサーチ情報ＤＳＩの構成を示す図である。
【図１１】ＤＳＩ全体情報ＤＳＩ＿ＧＩの構成を示す図である。
【図１２】ＤＳＩのＶＯＢＵ＿１ＳＴＲＥＦ＿ＥＡ、ＶＯＢＵ＿２ＮＤＲＥＦ＿ＥＡ及びＶＯＢＵ＿３ＲＤＲＥＦ＿ＥＡにより指示される内容を示す図である。
【図１３】ＳＭＬ＿ＰＢＩの構成を示す図である。
【図１４】ＳＭＬ＿ＡＧＬＩによるシームレスアングルセル切り換えの状態を示す図である。
【図１５】ＤＶＤ−ＶＩＤＥＯディスクで採用されているプログラムチェーンＰＧＣ構造を示す図である。
【図１６】ＰＧＣＩの構成を示す図である。
【図１７】ＰＧＣ＿ＩＩの構成を示す図である。
【図１８】Ｃ＿ＰＢＩＴの構成を示す図である。
【図１９】Ｃ＿ＰＢＩの構成を示す図である。
【図２０】ＤＶＤ−ＶＩＤＥＯディスクの再生装置におけるユーザの操作入力によるドメイン間の状態遷移を示す図である。
【図２１】本発明を適用した光ディスク再生装置の構成を示すブロック図である。
【図２２】上記光ディスク再生装置におけるポーズ動作中のコントローラによるシームレスアングル切り換えの制御手順を示すフローチャートである。
【図２３】セル内のタイムコードサーチの手順を示すフローチャートである。
【図２４】上記光ディスク再生装置におけるＡ−Ｂリピートの制御手順を示すフローチャートである。
【図２５】Ａ−Ｂリピート中のシームレスアングル切り換えを状態を示す図である。
【図２６】Ａ−Ｂリピート中のコントローラによるシームレスアングル切り換えの制御手順を示すフローチャートである。
【図２７】上記Ａ−Ｂリピート中のシームレスアングル切り換えにおけるＡ点サーチ手順を示すフローチャートである。
【図２８】ＦＦ動作中のコントローラによるシームレスアングル切り換えの制御手順を示すフローチャートである。
【図２９】上記ＦＦ動作中のシームレスアングル切り換えを状態を示す図である。
【図３０】ＦＲ動作中のコントローラによるシームレスアングル切り換えの制御手順を示すフローチャートである。
【図３１】上記ＦＲ動作中のシームレスアングル切り換えを状態を示す図である。
【図３２】シームレスアングル切り換えを伴うレジューム動作を示す図である。
【図３３】シームレスアングル切り換えを伴うレジューム動作を行う場合の制御手順を示すフローチャートである。
【符号の説明】
１  記録媒体、２  ピックアップ、３  ＲＦ回路３、４  データデコーダ、５  デマルチプレクサ、６  ビデオデコーダ、７  副映像デコーダ、８  オーディオデコーダ、９  ＮＴＳＣ変換回路、１０  Ａ／Ｄ変換回路、１１  コントローラ、１２  ユーザーインターフェース、１３  メモリ、１００  光ディスク再生装置


【手続補正１６】
【補正対象書類名】図面
【補正対象項目名】図２２
【補正方法】変更
【補正の内容】
【図２２】
1998271453.tif 000001
【手続補正１７】
【補正対象書類名】図面
【補正対象項目名】図３０
【補正方法】変更
【補正の内容】
【図３０】
1998271453.tif 000002